(57)【要約】【課題】本発明は、無線通信機能を有し状態変化部分の状態変化を検出する検出手段との間の無線通信状態によって機器の状態を把握する電子機器に関する。【解決手段】画像形成装置１は、前ドア１２の内面に配設され無線通信機能を有するＲＦＩＤタグ１０と機器筐体１ａ内に設けられているリーダライタ部１１とが無線通信し、制御部が、ＲＦＩＤタグ１０とリーダライタ部１１との通信状態に基づいて前ドア１２の開閉状態を判断する。したがって、開閉扉の状態変化の検出におけるハーネスや信号線等の制約や破断等による設計の自由度及び信号の不通を解消することができる。【選択図】          図２
2008250609.tif 000002
【特許請求の範囲】
【請求項１】
所定の状態変化を行う状態変化部分を有する電子機器において、前記状態変化部分の該状態変化の検出位置に配設され無線通信機能を有する無線検出手段と、前記無線検出手段との間で無線通信する無線通信機能を有するとともに該無線検出手段との通信状態が該状態変化部分の状態に応じて変化する無線通信手段と、該無線通信手段に接続され該無線通信手段の該無線検出手段との通信状態に基づいて該状態変化部分の状態を判断する判断手段と、を備えていることを特徴とする電子機器。
【請求項２】
前記電子機器は、前記状態変化部分を複数備え、前記無線検出手段は、該複数の状態変化部分のうち少なくとも２つ以上の状態変化部分の状態変化をそれぞれ検出する検出位置に配設されているとともにそれぞれ自己を識別する識別情報を保持し、前記無線通信手段は、所定位置に所定数の該無線検出手段に対して１つの割合で配設されていて、該割り当てられている所定数の無線検出手段の全てと通信して該通信において少なくとも該各無線検出手段の保持する該識別情報を取得し、前記判断手段は、該無線通信手段と該各無線検出手段との通信状態及び該識別情報に基づいて該各状態変化部分の状態を判断することを特徴とする請求項１記載の電子機器。
【請求項３】
前記状態変化部分は、通常の規定位置と該規定位置から外れた非規定位置との間で状態変化し、前記判断手段は、前記無線通信手段と前記無線検出手段との通信状態に基づいて該状態変化部分が該規定位置に位置しているか否かを判断することを特徴とする請求項１または請求項２記載の電子機器。
【請求項４】
前記電子機器は、前記状態変化部分が前記規定位置にある状態のときに前記無線検出手段と前記無線通信手段との通信を遮蔽する遮蔽手段を備えていることを特徴とする請求項３載の電子機器。
【請求項５】
前記無線検出手段と前記無線通信手段は、通信距離の変化、通信方向の変化、または、該無線検出手段と該無線通信手段との通信の遮蔽／非遮蔽を行う遮蔽手段による該遮蔽の有無のうち１つまたは２つ以上の要因によって前記通信状態が変化することを特徴とする請求項１から請求項４のいずれかに記載の電子機器。
【請求項６】
前記電子機器は、機器筐体に前記状態変化部分として開閉扉が設けられており、前記無線検出手段は、該開閉扉の該機器筐体内側の面の所定位置に配設されていることを特徴とする請求項１から請求項５のいずれかに記載の電子機器。
【請求項７】
前記無線検出手段は、機器筐体内に設けられ液体、粉体、粒状体等の収納物を前記状態変化物として収納する収納容器の内面または外面であって該収納物の収納量が所定収納量となったことを検出可能な位置を前記検出位置として配設され、前記判断手段は、前記無線通信手段の該無線検出手段との通信状態に基づいて該収納容器内の該収納物の収納量を判断することを特徴とする請求項１記載の電子機器。
【請求項８】
前記収納物は、前記無線検出手段と前記無線通信手段との通信を阻害する物質であることを特徴とする請求項７記載の電子機器。
【請求項９】
前記電子機器は、前記無線検出手段の前記収納物側以外の面を覆って前記無線通信手段との通信を遮蔽する遮蔽手段が設けられていることを特徴とする請求項７または請求項８記載の電子機器。
【請求項１０】
前記電子機器は、前記機器筐体内に複数の前記収納容器を備え、前記無線検出手段は、該複数の収納容器のうち少なくとも２つ以上の収納容器の内面または外面の前記検出位置に配設されているとともにそれぞれ自己を識別する識別情報を保持し、前記無線通信手段は、該機器筐体内の所定位置に所定数の該無線検出手段に対して１つの割合で設けられていて、該割り当てられている所定数の無線検出手段の全てと通信して該通信において少なくとも該各無線検出手段の保持する該識別情報を取得し、前記判断手段は、該無線通信手段と該各無線検出手段との通信状態及び該識別情報に基づいて該各収納容器内の該収納物の収納量を判断することを特徴とする請求項７から請求項９のいずれかに記載の電子機器。
【請求項１１】
前記電子機器は、機器筐体に設けられた前記状態変化部分としての１つ以上の開閉扉及び該機器筐体内に配設された前記状態変化部分としての液体、粉体、粒状体等の収納物をそれぞれ収納する１つ以上の収納容器を備え、前記無線検出手段は、該開閉扉の該機器筐体内側の面の所定位置に取り付けられているとともに、該収納容器の内面または外面であって該収納物の収納量が所定収納量となったことを検出可能な位置に配設されており、かつ、それぞれ自己を識別する識別情報を保持し、前記無線通信手段は、該機器筐体内の所定位置に該無線検出手段に対して１つの割合で設けられていて、該割り当てられている所定数の無線検出手段の全てと通信して該通信において少なくとも該各無線検出手段の保持する該識別情報を取得し、前記判断手段は、該無線通信手段と該各無線検出手段との通信状態及び該識別情報に基づいて該各開閉扉の開閉状態及び該各収納容器内の該収納物の収納量を判断することを特徴とする請求項１記載の電子機器。
【請求項１２】
前記無線検出手段は、ＲＦＩＤタグであり、前記無線通信手段は、該ＲＦＩＤタグと無線通信するリーダライタ手段であることを特徴とする請求項１から請求項１１のいずれかに記載の電子機器。
【請求項１３】
前記無線検出手段は、前記無線通信手段との無線通信に対して非遮蔽性を有する非遮蔽部材で覆われていることを特徴とする請求項１から請求項１２のいずれかに記載の電子機器。
【発明の詳細な説明】
【技術分野】
【０００１】
本発明は、電子機器に関し、詳細には、無線通信機能を有する検出手段との間の無線通信状態によって機器の状態を把握する電子機器に関する。
【背景技術】
【０００２】
現在、画像形成装置に限らず電子機器で使用されている多数のセンサは、ハ−ネスを通じて電源供給及びデ−タの送受信を行っている。しかし、電子機器内のハ−ネスの這い回しは、基板レイアウトや筐体の形状などから様々な制約を受け、センサの数が増えれば増えるほど、ハーネスの本数も増えて、ハーネスの這い回しがさらに複雑になって、設計の自由度が低くなる。
【０００３】
また、ハ−ネスを使用した場合、断線や破損などの不良を起こすという問題や、センサ自身がユーザに直接触れられる場所に設置されている場合があり、その場合にはユーザの誤操作や静電気などによってセンサが破壊されるおそれがある。
【０００４】
これに対して最近では、平面コイルとメモリ機能部(ＩＣチップ)からなるＲＦＩＤ（Radio Frequency-Identification：電波方式認識）タグが開発され、電子機器に対してＲＦＩＤタグを適用することにより、ハ−ネスを介することなく電磁波によりメモリ内のデ−タを送受信することが可能となった。
【０００５】
そして、従来、画像形成用カ−トリッジに搭載したＩＣタグと通信するために、ＩＣタグ装着面と対向する開閉扉の裏側(本体装置側)に送受信用アンテナを配置し、画像形成用カ−トリッジのＩＣタグと本体との通信をハ−ネスレスで行い、カ−トリッジの使用状況等に関する情報通信を行うようにした技術が提案されている（特許文献１参照）。
【０００６】
この従来技術は、ＲＦＩＤタグに記録されているカートリッジの回転回数等の寿命情報を本体側の送受信用アンテナ部で読み取ってカートリッジの寿命管理に利用している。
【０００７】
【特許文献１】特開２００４−３２６１２５公報
【発明の開示】
【発明が解決しようとする課題】
【０００８】
しかしながら、上記従来技術にあっては、カートリッジに取り付けられたＲＦＩＤタグの寿命情報を画像形成装置本体側に取り込むものであり、画像形成装置に多数設けられているセンサ（検出手段）自身の問題やセンサと制御基板や電源部との間のハーネスによる接続の問題については考慮されておらず、画像形成装置だけでなく電子機器一般について、該電子機器に設けられているセンサ自身及びセンサと制御基板や電源部との間のハーネスによる接続に関する上記問題を解決することのできる技術が要望されている。
【０００９】
そこで、本発明は、設計の自由度及び信号の不通を解消しつつ安定かつ安全に状態変化を把握することのできる電子機器を提供することを目的としている。
【課題を解決するための手段】
【００１０】
請求項１記載の発明の電子機器は、所定の状態変化を行う状態変化部分を有する電子機器において、前記状態変化部分の該状態変化の検出位置に配設され無線通信機能を有する無線検出手段と、前記無線検出手段との間で無線通信する無線通信機能を有するとともに該無線検出手段との通信状態が該状態変化部分の状態に応じて変化する無線通信手段と、該無線通信手段に接続され該無線通信手段の該無線検出手段との通信状態に基づいて該状態変化部分の状態を判断する判断手段と、を備えていることにより、上記目的を達成している。
【００１１】
この場合、例えば、請求項２に記載するように、前記電子機器は、前記状態変化部分を複数備え、前記無線検出手段は、該複数の状態変化部分のうち少なくとも２つ以上の状態変化部分の状態変化をそれぞれ検出する検出位置に配設されているとともにそれぞれ自己を識別する識別情報を保持し、前記無線通信手段は、所定位置に所定数の該無線検出手段に対して１つの割合で配設されていて、該割り当てられている所定数の無線検出手段の全てと通信して該通信において少なくとも該各無線検出手段の保持する該識別情報を取得し、前記判断手段は、該無線通信手段と該各無線検出手段との通信状態及び該識別情報に基づいて該各状態変化部分の状態を判断してもよい。
【００１２】
また、例えば、請求項３に記載するように、前記状態変化部分は、通常の規定位置と該規定位置から外れた非規定位置との間で状態変化し、前記判断手段は、前記無線通信手段と前記無線検出手段との通信状態に基づいて該状態変化部分が該規定位置に位置しているか否かを判断してもよい。
【００１３】
さらに、例えば、請求項４に記載するように、前記電子機器は、前記状態変化部分が前記規定位置にある状態のときに前記無線検出手段と前記無線通信手段との通信を遮蔽する遮蔽手段を備えていてもよい。
【００１４】
また、例えば、請求項５に記載するように、前記無線検出手段と前記無線通信手段は、通信距離の変化、通信方向の変化、または、該無線検出手段と該無線通信手段との通信の遮蔽／非遮蔽を行う遮蔽手段による該遮蔽の有無のうち１つまたは２つ以上の要因によって前記通信状態が変化してもよい。
【００１５】
さらに、例えば、請求項６に記載するように、前記電子機器は、機器筐体に前記状態変化部分として開閉扉が設けられており、前記無線検出手段は、該開閉扉の該機器筐体内側の面の所定位置に配設されていてもよい。
【００１６】
また、例えば、請求項７に記載するように、前記無線検出手段は、機器筐体内に設けられ液体、粉体、粒状体等の収納物を前記状態変化物として収納する収納容器の内面または外面であって該収納物の収納量が所定収納量となったことを検出可能な位置を前記検出位置として配設され、前記判断手段は、前記無線通信手段の該無線検出手段との通信状態に基づいて該収納容器内の該収納物の収納量を判断してもよい。
【００１７】
さらに、例えば、請求項８に記載するように、前記収納物は、前記無線検出手段と前記無線通信手段との通信を阻害する物質であってもよい。
【００１８】
また、例えば、請求項９に記載するように、前記電子機器は、前記無線検出手段の前記収納物側以外の面を覆って前記無線通信手段との通信を遮蔽する遮蔽手段が設けられていてもよい。
【００１９】
さらに、例えば、請求項１０に記載するように、前記電子機器は、前記機器筐体内に複数の前記収納容器を備え、前記無線検出手段は、該複数の収納容器のうち少なくとも２つ以上の収納容器の内面または外面の前記検出位置に配設されているとともにそれぞれ自己を識別する識別情報を保持し、前記無線通信手段は、該機器筐体内の所定位置に所定数の該無線検出手段に対して１つの割合で設けられていて、該割り当てられている所定数の無線検出手段の全てと通信して該通信において少なくとも該各無線検出手段の保持する該識別情報を取得し、前記判断手段は、該無線通信手段と該各無線検出手段との通信状態及び該識別情報に基づいて該各収納容器内の該収納物の収納量を判断してもよい。
【００２０】
また、例えば、請求項１１に記載するように、前記電子機器は、機器筐体に設けられた前記状態変化部分としての１つ以上の開閉扉及び該機器筐体内に配設された前記状態変化部分としての液体、粉体、粒状体等の収納物をそれぞれ収納する１つ以上の収納容器を備え、前記無線検出手段は、該開閉扉の該機器筐体内側の面の所定位置に取り付けられているとともに、該収納容器の内面または外面であって該収納物の収納量が所定収納量となったことを検出可能な位置に配設されており、かつ、それぞれ自己を識別する識別情報を保持し、前記無線通信手段は、該機器筐体内の所定位置に該無線検出手段に対して１つの割合で設けられていて、該割り当てられている所定数の無線検出手段の全てと通信して該通信において少なくとも該各無線検出手段の保持する該識別情報を取得し、前記判断手段は、該無線通信手段と該各無線検出手段との通信状態及び該識別情報に基づいて該各開閉扉の開閉状態及び該各収納容器内の該収納物の収納量を判断してもよい。
【００２１】
さらに、例えば、請求項１２に記載するように、前記無線検出手段は、ＲＦＩＤタグであり、前記無線通信手段は、該ＲＦＩＤタグと無線通信するリーダライタ手段であってもよい。
【００２２】
また、例えば、請求項１３に記載するように、前記無線検出手段は、前記無線通信手段との無線通信に対して非遮蔽性を有する非遮蔽部材で覆われていてもよい。
【発明の効果】
【００２３】
本発明の電子機器によれば、状態変化部分の状態変化の検出位置に配設され無線通信機能を有する無線検出手段と該状態変化部分の状態変化によって通信状態の変化する無線通信手段とが無線通信し、該無線検出手段と該無線通信手段との通信状態に基づいて該状態変化部分の状態を判断するので、ハーネスや信号線等の制約や破断等による設計の自由度及び信号の不通を解消しつつ、開閉扉や動作等に伴って増減する消耗品や廃棄品等の状態変化部分の状態変化を検出することができ、安定かつ安全に状態変化を把握することができる。
【発明を実施するための最良の形態】
【００２４】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２５】
図１〜図３は、本発明の電子機器の第１実施例を示す図であり、図１は、本発明の電子機器の第１実施例を適用した画像形成装置１のブロック構成図である。
【００２６】
図１において、画像形成装置１は、収容した転写紙を給紙する給紙部２、転写紙上に画像を形成する作像部３、画像形成後の転写紙を定着／排紙する定着／排紙部４、定着時に使用する定着オイルを収納する定着オイルタンク５、ユーザからの命令を受け付けて処理するコントロ−ラ部６、画像形成プロセスを含む全般動作を制御する制御部７、原稿を読み込むスキャナ部８及びユーザが画像形成装置１を直接操作する操作部９等を備えている。
【００２７】
さらに、画像形成装置１は、センサ機能を有しＩＤ（Identity）情報（識別情報）の埋め込まれたタグＲＦＩＤタグ（無線検出手段）１０及びＲＦＩＤタグ１０と通信するリーダライタ部（無線通信手段）１１を有する。なお、図１では、センサ機能を有するＲＦＩＤタグ１０は、１つのみ記載されているが、画像形成装置１のセンサ（検出手段）としてＲＦＩＤタグを用いることのできるセンサについては、該センサとして、ＲＦＩＤタグ１０を用いることができる。
【００２８】
ＲＦＩＤタグ１０は、少なくともＩＤ情報を記憶する不揮発性メモリとリーダライタ部１１と通信するためのコイルを備えており、リーダライタ部１１は、ＲＦＩＤタグ１０のコイルとの間で無線通信するアンテナと該アンテナを介して少なくともＲＦＩＤタグ１０のＩＤ情報を読み取る読取部を備えている。
【００２９】
なお、ＲＦＩＤタグ１０は、リーダライタ部１１からの電波をエネルギー源として動作するパッシブタイプのタグであってもよいし、電池を内蔵して自ら電波を発するアクティブタイプのタグであってもよい。また、ＲＦＩＤタグ１０とリーダライタ部１１との間の電磁波の伝達方式としては、ＲＦＩＤタグ１０のコイルとリーダライタ部１１のアンテナコイルを磁束結合させて、エネルギー・信号を伝達する電磁誘導方式であってもよいし、ＲＦＩＤタグ１０のコイルとリーダライタ部１１のアンテナで電磁波をやりとりしてエネルギーと信号を伝達する電波方式であってもよいし、他の方法であってもよい。
【００３０】
このＲＦＩＤタグ１０とリーダライタ部１１との間の通信は、ＲＦＩＤタグ１０とリーダライタ部１１との距離（通信距離）によって、その通信状態が変化し、双方の距離が近いほど通信状態が良好で、双方の距離が遠くなるほど通信状態が悪化して所定の距離を超えると通信不能となる。
【００３１】
画像形成装置１は、図２に示すように、機器筐体１ａの前面には、該機器筐体１ａの下端部においてその下端部が回動可能に支持されて、外方向にその上端側が開閉可能な前ドア（状態変化部分、開閉扉）１２が取り付けられており、前ドア１２の内面の上部左側には、上記ＲＦＩＤタグ１０が取り付けられている。
【００３２】
画像形成装置１は、上記リーダライタ部１１が機器筐体１ａ内の後部側の内面上部に取り付けられており、リーダライタ部１１とＲＦＩＤタグ１０とは、その通信距離に応じた通信状態で通信する。
【００３３】
リーダライタ部１１は、ＲＦＩＤタグ１０との通信結果を制御部７に出力し、制御部（判断手段）７は、リーダライタ部１１からのＲＦＩＤタグ１０との通信結果情報（通信状態）に基づいて前ドア１２の状態変化である開閉状態を判別する。
【００３４】
次に、本実施例の作用を説明する。本実施例の画像形成装置１は、前ドア１２に取り付けられているＲＦＩＤタグ１０と機器筐体１ａ内に取り付けられているリーダライタ部１１との間の通信距離に応じた通信状態に基づいて前ドア１２の開閉状態を判別して画像形成装置１の動作を制御する。
【００３５】
すなわち、画像形成装置１は、リーダライタ部１１は、所定時間間隔または常時、ＲＦＩＤタグ１０と無線通信を行って、その通信結果情報を制御部７に出力する。制御部７は、リーダライタ部１１から入力されるＲＦＩＤタグ１０との通信結果情報に基づいて前ドア１２の開閉状態を判別して、画像形成装置１の動作を制御する。すなわち、制御部７は、リーダライタ部１１から入力されるＲＦＩＤタグ１０との通信結果情報が良好な通信状態（通信可能状態）であることを示していると、前ドア１２が閉じられていると判別し、通常動作制御、例えば、作像部３による画像形成動作を継続させる等の制御を行う。また、制御部７は、リードライタ部１１から入力されるＲＦＩＤタグ１０との通信結果情報が通信不可能状態を示していると、前ドア１２が開けられていると判断し、画像形成装置動作を停止させたり、高圧電源の供給の停止等を行う。
【００３６】
すなわち、図３にその側面図を示すように、前ドア１２の開閉によって、ＲＦＩＤタグ１０とリーダライタ部１１との間の距離が変化し、前ドア１２の閉時には、ＲＦＩＤタグ１０がリーダライタ部１１と良好な状態で通信可能な距離Ｘに位置している。一方、前ドア１２がユーザによって開けられると、前ドア１２に取り付けられているＲＦＩＤタグ１０がリーダライタ部１１と通信不可能な距離Ｙに離れて位置することになる。そして、リーダライタ部１１は、このＲＦＩＤタグ１０との通信結果情報を制御部７に出力し、制御部７が、リーダライタ部１１から入力されるＲＦＩＤタグ１０との通信結果情報に基づいて前ドア１２の開閉状態を判別して、画像形成装置１の動作を制御する。
【００３７】
このように、本実施例の画像形成装置１は、状態変化部分の状態変化の検出位置である前ドア１２に配設され無線通信機能を有するＲＦＩＤタグ１０とリーダライタ部１１とが無線通信し、該ＲＦＩＤタグ１０と該リーダライタ部１１との通信状態に基づいて前ドア１２の開閉状態を判断している。
【００３８】
したがって、前ドア１２等の開閉扉の状態変化の検出におけるハーネスや信号線等の制約や破断等による設計の自由度及び信号の不通を解消することができ、安定かつ安全に状態変化を把握することができる。
【００３９】
また、本実施例の画像形成装置１は、状態変化部分である前ドア１２が、通常の規定位置である閉じ位置と該閉じ位置から外れた非規定位置である開き位置との間で状態変化し、制御部７が、ＲＦＩＤタグ１０とリーダライタ部１１との通信状態に基づいて前ドア１２が閉じ位置に位置しているか否かを判断している。
【００４０】
したがって、設計の自由度及び信号の不通を解消しつつ、前ドア１２が閉じているか否かを適切かつ安定して判断することができる。
【００４１】
さらに、本実施例の画像形成装置１は、状態変化部分である前ドア１２の状態変化である開状態と閉状態とで該前ドア１２に配設されているＲＦＩＤタグ１０とリーダライタ部１１との通信距離が変化することを要因とする通信状態の変化に基づいて制御部７が前ドア１２の開閉状態を判断している。
【００４２】
したがって、状態変化による通信距離の変化を利用して適切に前ドア１２の開閉状態である状態変化を正確にかつ容易に検出することができる。
【００４３】
なお、上記説明においては、状態変化部分として、前ドア１２に適用した場合について説明したが、前ドア１２等の開閉扉に限るものではなく、例えば、用紙トレイ等のように引き出されるトレイ等のように、電子機器の本体からその一部が離れるような状態変化物に適用することができる。
【実施例２】
【００４４】
図４〜図６は、本発明の電子機器の第２実施例を示す図であり、図４は、本発明の電子機器の第２実施例を適用した画像形成装置に用いられているＲＦＩＤタグ２０とリーダライタ部２１の通信可能時の位置関係を示す図、図５は、該ＲＦＩＤタグ２０とリーダライタ部２１の通信不可能時の位置関係を示す図である。
【００４５】
なお、本実施例は、上記第１実施例の画像形成装置１と同様の画像形成装置に適用したものであり、本実施例の説明においては、必要に応じて上記第１実施例で用いた符号をそのまま用いて説明する。
【００４６】
図４及び図５において、本実施例の画像形成装置１は、上記第１実施例の画像形成装置１と同様に、前ドア１２の内面の上部左側に、ＲＦＩＤタグ（無線検出手段）２０が取り付けられており、機器筐体１ａ内の後部側の内面上部にリーダライタ部（無線通信手段）２１が取り付けられている。なお、図４、図５では、前ドア１２を省略して簡略化した状態で描かれている。
【００４７】
ＲＦＩＤタグ２０は、図４及び図５に矢印Ａで示すように、その通信方向（図４及び図５のＡ方向）に指向性を有している。そして、ＲＦＩＤタグ２０の通信方向が、図４に示すように、リーダライタ部２１の方向を向いているときには、ＲＦＩＤタグ２０とリーダライタ部２１との通信状態は良好で、通信可能状態であり、ＲＦＩＤタグ２０の通信方向が、図５に示すように、リーダライタ部２１の位置している方向とずれているとき（図５では、ＲＦＩＤタグ２０の通信方向がリーダライタ部２１の位置している方向から略９０度ずれている）には、ＲＦＩＤタグ２０とリーダライタ部２１との通信が不可能な状態となる。
【００４８】
そして、画像形成装置１は、前ドア１２が閉じられている状態のときには、ＲＦＩＤタグ２０の通信方向が、図４に示した通信可能状態となり、前ドア１２が開けられると、ＲＦＩＤタグ２０の通信方向が、図５に示した通信不可能状態となる。
【００４９】
次に、本実施例の作用を説明する。本実施例の画像形成装置１は、前ドア１２に取り付けられているＲＦＩＤタグ２０がその通信方向に指向性を有しており、ＲＦＩＤタグ２０の通信方向が、機器筐体１ａ内に取り付けられているリーダライタ部２１の方向に向いているか、ずれているかによる通信状態に基づいて前ドア１２の開閉状態を判別して画像形成装置１の動作を制御する。
【００５０】
すなわち、本実施例の画像形成装置１は、上記第１実施例の場合と同様に、リーダライタ部２１は、所定時間間隔または常時、ＲＦＩＤタグ２０と通信を行って、その通信結果情報を制御部７に出力する。制御部７は、リーダライタ部２１から入力されるＲＦＩＤタグ２０との通信結果情報に基づいて前ドア１２の開閉状態を判別して、画像形成装置１の動作を制御する。すなわち、制御部７は、リーダライタ部２１から入力されるＲＦＩＤタグ２０との通信結果情報が良好な通信状態であることを示していると、前ドア１２が閉じられていると判別し、通常動作制御、例えば、作像部３による画像形成動作を継続させる等の制御を行う。また、制御部７は、リードライタ部２１から入力されるＲＦＩＤタグ２０との通信結果情報が通信不能状態を示していると、前ドア１２が開けられていると判断し、画像形成装置動作を停止させたり、高圧電源の供給の停止等を行う。
【００５１】
すなわち、前ドア１２が閉じられているときには、図４に示したように、前ドア１２に取り付けられているＲＦＩＤタグ２０は、その通信方向がリーダライタ部２１の方向を向き、ＲＦＩＤタグ２０とリーダライタ部２１との通信が可能な状態となる。一方、前ドア１２がユーザによって開けられると、図５に示したように、前ドア１２に取り付けられているＲＦＩＤタグ２０の通信方向がリーダライタ部２１の方向から外れ、ＲＦＩＤタグ２０とリーダライタ部２１との通信が不可能な状態になる。そして、リーダライタ部２１は、このＲＦＩＤタグ２０との通信結果情報を制御部７に出力し、制御部７が、リーダライタ部２１から入力されるＲＦＩＤタグ２０との通信結果情報に基づいて前ドア１２の開閉状態を判別して、画像形成装置１の動作を制御する。
【００５２】
このように、本実施例の画像形成装置１は、状態変化部分としての前ドア１２に配設されているＲＦＩＤタグ１０とリーダライタ部２１との通信方向の変化を要因として相互の通信状態が変化し、該通信状態の変化に基づいて制御部７が前ドア１２の開閉状態を判断している。
【００５３】
したがって、状態変化による通信方向の変化を利用して適切に前ドア１２の開閉状態である状態変化を正確にかつ容易に検出することができる。
【００５４】
また、無線通信するＲＦＩＤタグ１０自体をセンサとして用いているので、センサ部分であるＲＦＩＤタグ１０の検出結果をハーネスを用いることなく、リーダライタ部２１を介して制御部７に出力することができ、ハ−ネスレスによる設計の自由度向上を図ることができるとともに、ハ−ネスの断線や破損による信号の不通を解消することができる。
【００５５】
なお、図４及び図５では、前ドア１２に取り付けられているＲＦＩＤタグ２０が前ドア１２に固定されていて、前ドア１２の開閉に伴ってＲＦＩＤタグ２０の通信方向が変化することで、ＲＦＩＤタグ２０とリーダライタ部２１との通信状態が変化するが、ＲＦＩＤタグ２０とリーダライタ部２１との通信状態の変化は、前ドア１２の開閉状態に応じてＲＦＩＤタグ２０の通信方向が変化することによるものに限るものではない。
【００５６】
例えば、図６に示すように、ＲＦＩＤタグ２０をその通信方向（Ａ方向）がリーダライタ部２１方向から外れる方向（図６では、９０度上方）に回動可能に前ドア１２に取り付けるとともに、該リーダライタ部２１から外れる方向にＲＦＩＤタグ２０を付勢するバネ等の弾性体２２を設け、前ドア１２が閉じているときには、該弾性体２２の付勢力に関係なくＲＦＩＤタグ２０をその通信方向がリーダライタ部２１方向に向くように位置させ、前ドア１２が少しでも開くと、弾性体２２の付勢力で、ＲＦＩＤタグ２０をその通信方向がリーダライタ部２１方向から外れる方向に回動させるようにしてもよい。
【００５７】
このようにすると、前ドア１２が少しでも開いた状態となると、ＲＦＩＤタグ２０とリーダライタ部２１との通信が不可能な状態となり、制御部７が前ドア１２が開いていることをより正確かつ精密に検出することができる。
【００５８】
また、本実施例においては、ＲＦＩＤタグ２０とリーダライタ部２１との通信状態の変化を、ＲＦＩＤタグ２０の通信方向に基づく場合について説明したが、ＲＦＩＤタグ２０の通信方向にのみ基づくものに限るものではなく、ＲＦＩＤタグ２０とリーダライタ部２１の通信能力を前ドア１２の開閉に伴う通信距離の変化(Ｘ→Ｙ)と通信方向によって通信状態が変化するものを用い、前ドア１２の開閉に伴う上記ＲＦＩＤタグ２０とリーダライタ部２１との通信方向の変化による通信状態の変化と通信距離の変化による通信状態の変化の双方を組み合わせた通信状態の変化に基づいて、前ドア１２の開閉状態を判断するようにしてもよい。
【００５９】
このようにすると、より一層正確に状態変化部分の状態を検出することができ、より一層安定して状態変化を把握することができる。
【００６０】
なお、上記説明においては、状態変化部分として、前ドア１２に適用した場合について説明したが、前ドア１２等のドアに限るものではなく、例えば、用紙トレイ等のように引き出されるトレイ等のように、電子機器の本体からその一部が離れるような状態変化物に適用することができる。
【実施例３】
【００６１】
図７は、本発明の電子機器の第３実施例を適用した画像形成装置３０の要部概略構成正面図である。
【００６２】
なお、本実施例は、上記第１実施例の画像形成装置１と同様の画像形成装置に適用したものであり、本実施例の説明においては、必要に応じて上記第１実施例で用いた符号をそのまま用いて説明する。
【００６３】
図７において、画像形成装置３０は、右側面の上部に、その下端部が機器筐体３０ａに回動可能に支持されて、その上端側が外方向に開閉可能な横ドア（状態変化部分、開閉扉）３１が取り付けられており、横ドア３１の機器筐体３０ａの内面の上部には、ＲＦＩＤタグ（無線検出手段）３２が取り付けられている。
【００６４】
画像形成装置３０の機器筐体３０ａ内部には、該ＲＦＩＤタグ３２と通信するリーダライタ部（無線通信手段）３３が配設されており、ＲＦＩＤタグ３２とリーダライタ部３３との間の通信は、ＲＦＩＤタグ３２とリーダライタ部３３との距離（通信距離）または／及び通信方向によってその通信状態が変化する。
【００６５】
さらに、機器筐体３０ａには、横ドア３１が閉じられた状態のときに、ＲＦＩＤタグ３２の周囲を覆ってリーダライタ部３３との通信を遮蔽する電波遮蔽部材（遮蔽手段）３４が取り付けられており、電波遮蔽部材３４は、金属等で形成されている。
【００６６】
したがって、画像形成装置３０は、横ドア３１の閉時には、電波遮蔽部材３４がＲＦＩＤタグ３２を覆って、ＲＦＩＤタグ３２とリーダライタ部３３との間の電波を遮蔽してＲＦＩＤ３２とリーダライタ部３３との通信が、不可能状態となる。また、横ドア３１が開かれたときには、ＲＦＩＤタグ３２が電波遮蔽部材３４で覆われなくなり、ＲＦＩＤタグ３２とリーダライタ部３３との間の電波が電波遮蔽部材３４によって遮蔽されなくなってＲＦＩＤ３２とリーダライタ部３３との通信が、可能な状態となる。
【００６７】
なお、図示しないが、本実施例の画像形成装置３０は、図１に示した画像形成装置１と同様の給紙部２、作像部３定着／排紙部４、定着オイルタンク５、コントローラ部６、制御部７、操作部及びスキャナ部８等を備え、図１のＲＦＩＤタグ１０とリーダライタ部１１の代わりに、図７に示したＲＦＩＤタグ３２とリーダライタ部３３が設けられている。
【００６８】
次に、本実施例の作用を説明する。本実施例の画像形成装置３０は、電波遮蔽部材３４によってＲＦＩＤタグ３２とリーダライタ部３３との通信が遮断されているか否かを制御部７で検出して、横ドア３１の開閉状態を判断する。
【００６９】
すなわち、本実施例の画像形成装置３０は、上記第１実施例の場合と同様に、リーダライタ部３３は、所定時間間隔または常時、ＲＦＩＤタグ３２と通信を行って、その通信結果情報を制御部７に出力する。制御部７は、リーダライタ部３３から入力されるＲＦＩＤタグ３２との通信結果情報に基づいて横ドア３１の開閉状態を判別して、画像形成装置３０の動作を制御する。すなわち、制御部７は、リーダライタ部３３から入力されるＲＦＩＤタグ３２との通信結果情報が通信不可能状態であることを示していると、横ドア３１が閉じられていると判別し、通常動作制御、例えば、作像部３による画像形成動作を継続させる等の制御を行う。また、制御部７は、リードライタ部３３から入力されるＲＦＩＤタグ３２との通信結果情報が通信可能状態を示していると、横ドア３１が開けられていると判断し、画像形成装置動作を停止させたり、高圧電源の供給の停止等を行う。
【００７０】
すなわち、横ドア３１が閉じられているときには、横ドア３１に取り付けられているＲＦＩＤタグ３２は、機器筐体３０ａに取り付けられている電波遮蔽部材３４により覆われて、ＲＦＩＤタグ３２とリーダライタ部３３との通信が不可能な状態となる。一方、横ドア３１がユーザによって開けられると、横ドア３１に取り付けられているＲＦＩＤ３２が電波遮蔽部材３４による遮蔽から外れ、ＲＦＩＤタグ３２とリーダライタ部３３との通信が可能な状態になる。そして、リーダライタ部３３は、このＲＦＩＤタグ３２との通信結果情報を制御部７に出力し、制御部７が、リーダライタ部３３から入力されるＲＦＩＤタグ３２との通信結果情報に基づいて横ドア３１の開閉状態を判別して、画像形成装置３０の動作を制御する。
【００７１】
このように、本実施例の画像形成装置３０は、横ドア３１が閉じ状態にあるときに、ＲＦＩＤタグ３２を覆ってリーダライタ部３３との通信を遮蔽する電波遮蔽部材３４を備えている。
【００７２】
したがって、横ドア３１が閉じ状態にあるときに確実にＲＦＩＤタグ３２とリーダライタ部３３との通信を遮断し、横ドア１３が開状態にあるときには、ＲＦＩＤタグ３２とリーダライタ部３３との通信を可能とすることができ、横ドア３１の閉じ状態と開状態をより一層正確に判断して、より一層安定して状態変化を把握することができる。
【００７３】
また、本実施例の画像形成装置３０は、横ドア３１の閉時にＲＦＩＤタグ３２が電波遮蔽部材３４で覆われてリーダライタ部３４と通信不可能状態となり、横ドア３１の開時にＲＦＩＤタグ３２が電波遮蔽部材３４から抜け出して通信可能となる構成となっているので、横ドア３１の閉じ状態を確実に検出することができる。
【００７４】
なお、本実施例においては、画像形成装置１の横ドア１３を状態変化部分の例として説明したが、横ドア１３に限るものではなく、ＲＦＩＤタグ３２とリーダライタ部３３の距離や向きの変化だけでは、ＲＦＩＤタグ３２とリーダライタ部３３との通信状態の変化が少ない状態変化部分、例えば、用紙トレイ等のように引き出されるトレイ等の状態変化の検出に適用することができる。
【実施例４】
【００７５】
図８は、本発明の電子機器の第４実施例を適用した画像形成装置４０の正面要部概略構成図である。
【００７６】
なお、本実施例は、上記第１実施例の画像形成装置１と同様の画像形成装置に適用したものであり、本実施例の説明においては、必要に応じて上記第１実施例で用いた符号をそのまま用いて説明する。
【００７７】
図８において、画像形成装置４０は、機器筐体４０ａの上部に、読取対象の原稿のセットされるコンタクトガラス（原稿設置部）４１が配設されており、該コンタクトガラス４１を開閉可能に覆う状態で原稿押さえ部４２が取り付けられている。
【００７８】
原稿押さえ部４２には、そのコンタクトガラス４１側の面に、ＲＦＩＤタグ（無線検出手段）４３が埋め込み状態で取り付けられており、該原稿押さえ部４２に埋め込まれているＲＦＩＤタグ４３は、図示しないが、そのコンタクトガラス４１側の面が、モールド樹脂等の電波を透過する性質（非遮蔽性）を有する保護部材（非遮蔽部材）で被覆されている。
【００７９】
すなわち、原稿押さえ部４２のコンタクトガラス４１側の面は、原稿押さえ部４２を開閉操作する際にユーザによって触れられるおそれのある部分であり、このユーザによって触れられるおそれのある部分にＲＦＩＤタグ４３が取り付けられているので、ＲＦＩＤタグ４３を電波を透過する保護部材で被覆することで、ユーザが直接ＲＦＩＤタグ４３に触れて、ＲＦＩＤタグ４３が破損したり、静電気による故障や誤動作が発生するのを防止している。
【００８０】
画像形成装置４０の機器筐体４０ａのコンタクトガラス４１の下方であって、ＲＦＩＤタグ４３に対向する位置には、該ＲＦＩＤタグ４３と無線通信するリーダライタ部４４が配設されており、このＲＦＩＤタグ４３とリーダライタ部４４との通信距離は、近距離でのみ通信が可能となっている。
【００８１】
このＲＦＩＤタグ４３とリーダライタ部４４との間の通信は、ＲＦＩＤタグ４３とリーダライタ部４４との距離（通信距離）または／及び通信方向によってその通信状態が変化する。
【００８２】
画像形成装置４０は、このリーダライタ部４４の他に、第１実施例の画像形成装置１と同様のリーダライタ部１１が配設されており、リーダライタ部４４は、無線通信または有線通信によってＲＦＩＤタグ４３との通信結果情報をリーダライタ部１１に渡し、リーダライタ部１１が制御部７に該通信結果情報を渡す。
【００８３】
そして、図示しないが、本実施例の画像形成装置４０は、図１に示した給紙部２、作像部３定着／排紙部４、定着オイルタンク５、コントローラ部６、制御部７、操作部及びスキャナ部８等を備え、図１のＲＦＩＤタグ１０の代わりに、図８に示したＲＦＩＤタグ４３が設けられ、さらに、リーダライタ部４４が設けられている。
【００８４】
なお、本実施例においては、リーダライタ部４４が、ＲＦＩＤタグ４３との通信結果情報をリーダライタ部１１介して制御部７に渡しているが、制御部７に直接通信結果情報を渡してもよいし、ＲＦＩＤタグ４３として、リーダライタ部１１と通信可能なものを用い、リーダライタ部１１との間で直接無線通信を行って、リーダライタ部４４を省いてもよい。
【００８５】
次に、本実施例の作用を説明する。本実施例の画像形成装置４０は、原稿押さえ部４２のユーザによって直接手に触れられるおそれのある部分に配設されているＲＦＩＤタグ４３を保護部材で被覆して保護するとともに、該ＲＦＩＤタグ４３とリーダライタ部４４との通信が遮断されているか否かを制御部７で検出して、原稿押さえ部４２の開閉状態を判断する。
【００８６】
すなわち、本実施例の画像形成装置４０は、リーダライタ部４４は、所定時間間隔または常時、ＲＦＩＤタグ４３と通信を行って、その通信結果情報をリーダライタ部１１を介して、または、直接、制御部７に出力する。制御部７は、リーダライタ部４４から入力されるＲＦＩＤタグ４３との通信結果情報に基づいて原稿押さえ部４２の開閉状態を判別して、画像形成装置４０の動作を制御する。すなわち、制御部７は、リーダライタ部４４からのＲＦＩＤタグ４３との通信結果情報が通信可能状態であることを示していると、原稿押さえ部４２が閉じられていると判別し、通常動作制御を継続させる制御を行う。また、制御部７は、リードライタ部４４からのＲＦＩＤタグ４３との通信結果情報が通信不可能状態を示していると、原稿押さえ部４２が開けられていると判断し、原稿セットや原稿取り出しと判断して、必要な制御動作を行う。
【００８７】
すなわち、原稿押さえ部４２が閉じられているときには、原稿押さえ部４２に取り付けられているＲＦＩＤタグ４３は、機器筐体４０ａに取り付けられているリーダライタ部４４と近くで向き合って、ＲＦＩＤタグ４３とリーダライタ部４４との通信が可能な状態となる。一方、原稿押さえ部４２がユーザによって手操作で開けられると、該原稿押さえ部４２に取り付けられているＲＦＩＤ４３が機器筐体４０ａに配設されているリーダライタ部４４と離れたり、その通信方向が変化し、ＲＦＩＤタグ４３とリーダライタ部４４との通信が不可能な状態になる。そして、リーダライタ部４４は、このＲＦＩＤタグ４３との通信結果情報をリーダライタ部１１を介して、または、直接制御部７に出力し、制御部７が、リーダライタ部４４からのＲＦＩＤタグ４３との通信結果情報に基づいて原稿押さえ部４２の開閉状態を判別して、画像形成装置４０の動作を制御する。
【００８８】
そして、原稿押さえ部４２に配設されているＲＦＩＤタグ４３がモールド樹脂等の電波を透過する保護部材で被覆されているので、原稿押さえ部４２を開閉操作する際にユーザによって直接ＲＦＩＤタグ４３に触れられることを防止することができ、ＲＦＩＤタグ４３が破損したり、静電気による故障や誤動作するのを防止することができる。
【００８９】
このように、本実施例の画像形成装置４０は、ＲＦＩＤタグ４３が、リーダライタ部４４またはリーダライタ部１１との無線通信に対して非遮蔽性を有する非遮蔽部材である保護部材によって覆われている。
【００９０】
したがって、ユーザが接触するおそれのある場所に設置されるセンサであるＲＦＩＤタグ４３を直接触れることを防止して、ユーザの誤操作や静電気等によってＲＦＩＤタグ４３が破損したり、誤動作することを防止することができ、より一層安定かつ安全に状態変化を検出することができる。
【００９１】
なお、本実施例においては、ＲＦＩＤタグ４３とリーダライタ部４４として、その通信状態が、通信距離または／及び通信方向によって変化するものを用いているが、これらに限るものではなく、例えば、原稿押さえ部４２が閉じられているときに、または、原稿押さえ部４２が開けられているときに、ＲＦＩＤタグ４３とリーダライタ部４４との通信を遮蔽する電波遮蔽部材を設け、該電波遮蔽部材による通信の遮蔽によってＲＦＩＤタグ４３とリーダライタ部４４との通信状態が変化することで、原稿押さえ部４２が開けられているか閉じられているかを検出するようにしてもよい。
【００９２】
また、本実施例においては、画像形成装置４０の原稿押さえ部４２に適用した場合について説明したが、状態変化部分としては、原稿押さえ部４２に限るものではなく、ユーザが触れるおそれのある状態変化部分、例えば、電子機器としてのブック型ノートブックの開閉蓋等に適用することができ、該状態変化部分に設ける無線検出手段としてのＲＦＩＤタグを保護部材（非遮蔽部材）で覆うようにしてもよい。
【実施例５】
【００９３】
図９は、本発明の電子機器の第５実施例を適用した画像形成装置５０の要部概略構成斜視図である。
【００９４】
なお、本実施例は、上記第１実施例の画像形成装置１と同様の画像形成装置に適用したものであり、本実施例の説明においては、必要に応じて上記第１実施例で用いた符号をそのまま用いて説明する。
【００９５】
図９において、画像形成装置５０は、機器筐体５０ａの前面には、該機器筐体５０ａの下端部においてその下端部が回動可能に支持されて外方向にその上端側が開閉可能な前ドア（状態変化部分、開閉扉）５１が取り付けられており、前ドア５１の内面の上部左側には、ＲＦＩＤタグ（無線検出手段）５２が取り付けられている。
【００９６】
また、画像形成装置５０は、機器筐体５０ａの右側面の上部に、その下端部が機器筐体５０ａに回動可能に支持されて、その上端側が外方向に開閉可能な上横ドア（状態変化部分、開閉扉）５３が取り付けられており、上横ドア５３の機器筐体５０ａの内面の上部には、ＲＦＩＤタグ（無線検出手段）５４が取り付けられている。
【００９７】
さらに、画像形成装置５０は、右側面の下部に、その下端部が機器筐体５０ａに回動可能に支持されて、その上端側が外方向に開閉可能な下横ドア（状態変化部分、開閉扉）５５が取り付けられており、下横ドア５５の機器筐体５０ａの内面の上部には、ＲＦＩＤタグ（無線検出手段）５６が取り付けられている。
【００９８】
画像形成装置５０は、機器筐体５０ａ内の後部側の内面上部にリーダライタ部（無線通信手段）５７が取り付けられており、リーダライタ部５７と上記各ＲＦＩＤタグ５２、５４、５６とは、その通信距離または／及び通信方向に応じた通信状態によって通信する。
【００９９】
そして、上記各ＲＦＩＤタグ５２、５４、５６は、少なくとも自身のタグを他のタグと区別する識別情報としてＩＤを記憶しており、リーダライタ部５７は、各ＲＦＩＤタグ５２、５４、５６と通信を行う際に、該ＲＦＩＤタグ５２、５４、５６のＩＤを取得する。
【０１００】
そして、画像形成装置５０は、第１実施例の画像形成装置１と同様の給紙部２、作像部３定着／排紙部４、定着オイルタンク５、コントローラ部６、制御部７、操作部及びスキャナ部８等を備え、図１のＲＦＩＤタグ１０とリーダライタ部１１の代わりに、図９に示すＲＦＩＤタグ５２、５４、５６とリーダライタ部５７が設けられている。
【０１０１】
上記リーダライタ部５７は、上記各ＲＦＩＤタグ５２、５４、５６と通信して取得した各ＲＦＩＤタグ５２、５４、５６のＩＤを該ＲＦＩＤタグ５２との通信結果情報に付加して、該ＩＤを付加した通信結果情報を制御部７に出力する。
【０１０２】
次に、本実施例の作用を説明する。本実施例の画像形成装置５０は、複数のＲＦＩＤタグ５２、５４、５６と１つのリーダライタ部５７が通信して複数のＲＦＩＤタグ５２、５４、５６とリーダライタ部５７との通信状態に基づいて各ＲＦＩＤタグ５２、５４、５６の取り付けられているドア５１、５３、５５の開閉状態を判断して、動作制御する。
【０１０３】
すなわち、本実施例の画像形成装置５０は、リーダライタ部５７が、所定時間間隔毎に、順次、複数のＲＦＩＤタグ５２、５４、５６と通信を行って、該各ＲＦＩＤタグ５２、５４、５６との通信時に該ＲＦＩＤタグ５２、５４、５６からそのＲＦＩＤタグ５２、５４、５６のＩＤを取得し、該取得したＩＤをそのＲＦＩＤタグ５２、５４、５６との通信結果情報に付加して、制御部７に出力する。
【０１０４】
制御部７は、リーダライタ部５７から入力される各ＲＦＩＤタグ５２、５４、５６のＩＤの付加された各ＲＦＩＤタグ５２、５４、５６との通信結果情報に基づいて前ドア５１、上横ドア５３及び下横ドア５５それぞれの開閉状態を判別して、画像形成装置３０の動作を制御する。すなわち、制御部７は、リーダライタ部５７から入力される各ＲＦＩＤタグ５２、５４、５６のＩＤの付加された各ＲＦＩＤタグ５２、５４、５６との通信結果情報のうち、通信可能状態であることを示している通信結果情報があると、該通信可能なＲＦＩＤタグ５２、５４、５６の取り付けられている前ドア５１、上横ドア５３、下横ドア５５が閉じられていると判別し、また、該通信結果情報のうち、通信不可能状態であることを示している通信結果情報があると、該通信不可能なＲＦＩＤタグ５２、５４、５６の取り付けられている前ドア５１、上横ドア５３、下横ドア５５が開けられていると判別する。
【０１０５】
なお、本実施例は、状態変化部分として、前ドア５１、上横ドア５３、下横ドア５５等の開閉ドアに適用した場合について説明したが、開閉ドアに限るものではなく、例えば、用紙トレイ等のように引き出されるトレイ等のように、電子機器の本体からその一部が離れるような状態変化物に適用することができる。
【０１０６】
このように、本実施例の画像形成装置５０は、状態変化部分としての複数のドア５１、５３、５５を備え、ＲＦＩＤタグ５２、５４、５６が、該複数のドア５１、５３、５５に配設されているとともにそれぞれ自己を識別する識別情報としてＩＤを保持し、リーダライタ部５７が、所定位置に１つのみ配設され該複数のＲＦＩＤタグ５２、５４、５６の全てと通信して該通信において少なくとも該各ＲＦＩＤタグ５２、５４、５６の保持する該ＩＤを取得し、制御部７が、該リーダライタ部５７と該各ＲＦＩＤタグ５２、５４、５６との通信状態及び該ＩＤに基づいて各ドア５１、５３、５５の開閉状態を判断している。
【０１０７】
したがって、制御部７とリーダライタ部５７との接続ポートが、ＲＦＩＤタグ５２、５４、５６の数にかかわらず、１つのみですみ、小型化することができるとともに、ハーネスや信号線等の制約や破断等による設計の自由度及び信号の不通をより一層適切に解消することができ、安定かつ安全に状態変化を把握することができる。
【０１０８】
なお、本実施例においては、複数のＲＦＩＤタグ５２、５４、５６に対して、１つのリーダライタ部５７を設けているが、複数のＲＦＩＤタグを複数のグループに分割して各グループに対して１つのリーダライタ部を設けてもよい。
【０１０９】
このようにすると、より多くのＲＦＩＤタグに対して少ないリーダライタ部でより一層正確に通信して、小型でより正確な状態検出を行うことができる。
【実施例６】
【０１１０】
図１０及び図１１は、本発明の電子機器の第６実施例を示す図であり、図１０は、本発明の電子機器の第６実施例を適用した画像形成装置に用いられているＲＦＩＤタグとリーダライタ部の通信不可能時の状態を示す図、図１１は、該ＲＦＩＤタグとリーダライタ部の通信可能時の状態を示す図である。
【０１１１】
なお、本実施例は、上記第１実施例の画像形成装置１と同様の画像形成装置に適用したものであり、本実施例の説明においては、必要に応じて上記第１実施例で用いた符号をそのまま用いて説明する。
【０１１２】
本実施例の画像形成装置６０は、図示しないが、上記第１実施例の画像形成装置１と同様の給紙部２、作像部３定着／排紙部４、定着オイルタンク５、コントローラ部６、制御部７、操作部及びスキャナ部８等を備え、図１のＲＦＩＤタグ１０とリーダライタ部１１の代わりに、図１０及び図１１に示すＲＦＩＤタグ６１とリーダライタ部６２が設けられている。
【０１１３】
図１０及び図１１において、画像形成装置６０は、上述のように、定着オイルタンク（収納容器）５を備えており、定着オイルタンク５には、作像部３で作像された用紙にトナー像を定着させる際に使用される定着オイル（状態変化部分、収納物）５ａが収納されている。定着オイル５ａは、定着処理を行うことで消費されて、定着オイルタンク５内の定着オイル５ａが所定の補充必要量よりも収納量が少なくなると、補充の必要がある。
【０１１４】
この定着オイルタンク５の内面の上記補充必要量の境界位置（以下、要メンテナンス位置という。）に、ＲＦＩＤタグ（無線検出手段）６１が取り付けられており、画像形成装置６０の機器筐体の内部に、該ＲＦＩＤタグ６１と無線通信するリーダライタ部（無線通信手段）６２が配設されている。リーダライタ部６２は、ＲＦＩＤタグ６１との通信結果情報を制御部７に出力する。
【０１１５】
画像形成装置６０は、定着オイルタンク５の外面であって、上記ＲＦＩＤタグ６１の取り付けられている位置に対応する位置に、該ＲＦＩＤタグ６１の定着オイル５ａ側以外の面を覆って、該ＲＦＩＤタグ６１の定着オイル５ａ側以外の部分によるリーダライタ部６２との無線通信を遮蔽する電波遮蔽部材（遮蔽手段）６３が取り付けられており、電波遮蔽部材６３は、該ＲＦＩＤタグ６１とリーダライタ部６２との無線通信を遮蔽する部材であれば、どのような部材であってもよいが、例えば、金属等が用いられている。
【０１１６】
なお、本実施例の画像形成装置６０においては、定着オイルタンク５のＲＦＩＤタグ６１の取り付けられている位置に対応する位置に電波遮蔽部材６３を取り付けているが、ＲＦＩＤタグ６１からの電波の漏洩を阻止する方法としては、電波遮蔽部材６３を取り付ける方法に限るものではなく、例えば、ＲＦＩＤタグ６１の取り付けられる定着オイルタンク５の面自体を、電波を遮蔽する部材（遮蔽手段）で形成してもよい。
【０１１７】
上記定着オイル５ａは、ＲＦＩＤタグ６１とリーダライタ部６２との通信に用いられている電波を吸収してＲＦＩＤタグ６１とリーダライタ部６２との通信を阻害する性質を有しており、定着オイルタンク５は、ＲＦＩＤタグ６１とリードライタ部６２との通信の電波を透過させる部材で形成されている。
【０１１８】
ＲＦＩＤタグ６１とリーダライタ部６２とは、図１０に示すように、ＲＦＩＤタグ６１が内部に浸る位置まで定着オイルタンク５に定着オイル５ａが入っていると、通信が不可能な状態となり、図１１に示すように、定着オイル５ａが減っていき、ＲＦＩＤタグ６１が定着オイル５ａの上面から出ると、通信が可能な状態となる。すなわち、ＲＦＩＤタグ６１とリーダライタ部６２との通信状態は、定着オイルタンク５内の定着オイル５ａの量によって変化する。
【０１１９】
リーダライタ部６２は、所定時間間隔または常時ＲＦＩＤタグ６１と通信を行い、その通信結果を制御部７に出力する。
【０１２０】
次に、本実施例の作用を説明する。本実施例の画像形成装置６０は、ＲＦＩＤタグ６１とリードライタ部６２との通信状態に基づいて定着オイルタンク５内の定着オイル５ａの補充タイミングを管理している。
【０１２１】
すなわち、画像形成装置６０は、作像部３で作像された用紙にトナー像を定着させる際に定着オイルタンク５の定着オイル５ａを使用しており、この定着オイル５ａの収納されている定着オイルタンク５の内面の補充必要量の境界位置である要メンテナンス位置に、ＲＦＩＤタグ６１が取り付けられている。定着オイル５ａは、ＲＦＩＤタグ６１とリーダライタ部６２との通信を阻害する性質を有している。
【０１２２】
そこで、画像形成装置６０は、制御部７が、リーダライタ部６２から通知されるＲＦＩＤタグ６１とリーダライタ部６２との通信結果情報に基づいて監視し、リーダライタ部６２からのＲＦＩＤタグ６１との通信結果情報が通信不可能状態であることを示していると、図１０に示すように、少なくともＲＦＩＤタグ６１が定着オイル５ａの内部に浸る位置まで定着オイル５ａが入っていると判断して、定着オイル５ａの補充を通知することなく、通常の制御を行う。
【０１２３】
そして、制御部７は、リーダライタ部６２からのＲＦＩＤタグ６１との通信結果情報が通信可能状態であることを示していると、図１１に示すように、ＲＦＩＤタグ６１が定着オイル５ａの上面から出る位置まで定着オイル５ａが少なくなっていると判断して、定着オイル５ａの補充を通知する。
【０１２４】
なお、上記説明においては、定着オイルタンク５内に収納される定着オイル５ａを状態変化部分としてその状態を検出する場合について適用したが、状態変化部分としては、定着オイル５ａに限るものではなく、例えば、トナーカートリッジのトナー等の紛状物、粒状物のその収納容量の変化する収納物に適用することができる。
【０１２５】
このように、本実施例の画像形成装置６０は、ＲＦＩＤタグ６１が、機器筐体内に設けられ液体、粉体、粒状体等の収納物である定着オイル５ａを状態変化物として収納する収納容器である定着オイルタンク５の内面であって該定着オイル５ａの収納量が所定収納量である補充必要量となったことを検出可能な位置（要メンテナンス位置）を検出位置として配設され、制御部７が、リーダライタ部６２のＲＦＩＤタグ６１との通信状態に基づいて定着オイルタンク５内の定着オイル５ａの収納量を判断している。
【０１２６】
したがって、収納物としての定着オイル５ａの収納量の検出におけるハーネスや信号線等の制約や破断等による設計の自由度及び信号の不通を解消することができ、安定かつ安全に状態変化を把握することができる。
【０１２７】
また、本実施例の画像形成装置６０は、ＲＦＩＤタグ６１がその内面に配設されている定着オイルタンク５に、ＲＦＩＤタグ６１とリーダライタ部６２との通信を阻害する性質を有している定着オイル５ａが収納されている。
【０１２８】
したがって、定着オイル５ａがＲＦＩＤタグ６１を覆う状態まで入っているか否かで、ＲＦＩＤタグ６１とリーダライタ部６２との通信が可能状態と不可能状態に変化し、定着オイル５ａが必要量収納されているか否かを適切に判断することができる。
【０１２９】
さらに、本実施例の画像形成装置６０は、ＲＦＩＤタグ６１の位置する部分の定着オイルタンク５の外面に、ＲＦＩＤタグ６１とリーダライタ部６２との無線通信を遮蔽する電波遮蔽部材６３が取り付けられている。
【０１３０】
したがって、漏洩電波の影響を排除して、定着オイル５ａのみによるＲＦＩＤタグ６１とリーダライタ部６２との通信状態の変化を正確に検出して、定着オイル５ａの収納量を正確に判断することができる。
【０１３１】
なお、本実施例の画像形成装置６０は、ＲＦＩＤタグ６１が定着オイルタンク５の内面に取り付けられているが、ＲＦＩＤタグ６１を定着オイルタンク５の外面に取り付け、該ＲＦＩＤタグ６１の定着オイル５ａ側以外の面、すなわち、定着オイルタンク５への取り付け面以外の外周面を、電波遮蔽部材で覆ってもよい。
【０１３２】
このようにすると、定着オイルタンク５へのＲＦＩＤタグ６１の取付を容易に行うことができ、コストを低減させることができる。
【実施例７】
【０１３３】
図１２及び図１３は、本発明の電子機器の第７実施例を示す図であり、図１２は、本発明の電子機器の第７実施例を適用した画像形成装置に用いられている除湿水検知用のＲＦＩＤタグとリーダライタ部の通信可能時の状態を示す図、図１３は、該ＲＦＩＤタグとリーダライタ部の通信不可能時の状態を示す図である。
【０１３４】
なお、本実施例は、上記第１実施例の画像形成装置１と同様の画像形成装置に適用したものであり、本実施例の説明においては、必要に応じて上記第１実施例で用いた符号をそのまま用いて説明する。
【０１３５】
本実施例の画像形成装置７０は、図示しないが、上記第１実施例の画像形成装置１と同様の給紙部２、作像部３定着／排紙部４、定着オイルタンク５、コントローラ部６、制御部７、操作部及びスキャナ部８等を備え、図１のＲＦＩＤタグ１０とリーダライタ部１１の代わりに、図１２及び図１３に示すＲＦＩＤタグ７１とリーダライタ部７２が設けられている。
【０１３６】
図１２及び図１３において、画像形成装置７０は、画像形成装置７０内の除湿水を貯留する除湿水タンク（収納容器）７３を備えており、除湿水タンク７３には、除湿が進むにつれて、図１２の状態から図１３に示す状態へと、除湿水（状態変化部分、収納物）が増えていき、除湿水タンク７３が除湿水で満杯になる前に、除湿水を除湿水タンク７３から捨てるメンテナンスが必要となる。
【０１３７】
そこで、本実施例の画像形成装置７０は、除湿水タンク７３の外面であって、所定の要排水上限水位の位置（以下、必要に応じて、要メンテナンス位置という。）に上記ＲＦＩＤタグ（無線検出手段）７１が取り付けられており、ＲＦＩＤタグ７１の外周面は、リーダライタ部（無線通信手段）７２との無線通信を遮蔽する電波遮蔽部材（遮蔽手段）７４で覆われている。電波遮蔽部材７４は、該ＲＦＩＤタグ７１とリーダライタ部７２との無線通信を遮蔽する部材であれば、どのような部材であってもよいが、例えば、金属等が用いられている。
【０１３８】
除湿水タンク７３に貯留される除湿水７３ａは、ＲＦＩＤタグ７１とリーダライタ部７２との通信に用いられている電波を吸収してＲＦＩＤタグ７１とリーダライタ部７２との通信を阻害する性質を有しており、除湿水タンク７３は、ＲＦＩＤタグ７１とリードライタ部７２との通信の電波を透過させる部材で形成されている。
【０１３９】
したがって、ＲＦＩＤタグ７１とリーダライタ部７２とは、図１２に示すように、ＲＦＩＤタグ７１の取付位置（要メンテナンス位置）まで除湿水７３ａが除湿水タンク７３内に貯留されないときには、通信が可能な状態となり、図１３に示すように、ＲＦＩＤタグ７１の取付位置（要メンテナンス位置）まで除湿水７３ａが貯留されると、電波が除湿水で吸収されて、通信が不可能な状態となる。すなわち、ＲＦＩＤタグ７１とリーダライタ部７２との通信状態は、除湿水タンク７３内の除湿水７３ａの量によって変化する。
【０１４０】
リーダライタ部７２は、所定時間間隔または常時ＲＦＩＤタグ７１と通信を行い、その通信結果を制御部７に出力する。
【０１４１】
次に、本実施例の作用を説明する。本実施例の画像形成装置７０は、除湿水タンク７３内の除湿水７３ａのメンテナンスタイミングを除湿水タンク７３に取り付けられたＲＦＩＤタグ７１とリードライタ部７２との通信状態に基づいて管理している。
【０１４２】
すなわち、画像形成装置７０は、画像形成装置７０内部の除湿に伴って、除湿水タンク７３に除湿水７３ａが貯留されて増えていくが、この除湿水７３ａは、ＲＦＩＤタグ７１とリーダライタ部７２との無線通信を阻害する性質を有している。
【０１４３】
そこで、画像形成装置７０は、制御部７が、リーダライタ部７２から通知されるＲＦＩＤタグ７１とリーダライタ部７２との通信結果情報に基づいて監視し、リーダライタ部７２からのＲＦＩＤタグ７１との通信結果情報が通信可能状態であることを示していると、図１２に示すように、少なくともＲＦＩＤタグ７１が対向している面の位置（要メンテナンス位置）まで除湿水７３ａが除湿水タンク７３に入っていないと判断して、除湿水７３ａの排水を通知することなく、通常の制御を行う。
【０１４４】
そして、制御部７は、リーダライタ部７２からのＲＦＩＤタグ７１との通信結果情報が通信不可能状態であることを示していると、図１３に示すように、ＲＦＩＤタグ７１が除湿タンク７３内の除湿水７３ａの上面以下になる位置（要メンテナンス位置）まで除湿水７３ａが貯留されてきていると判断して、除湿水７３ａの排水を通知する。
【０１４５】
なお、上記説明においては、除湿水タンク７３内に収納される除湿水７３ａを状態変化部分としてその状態を検出する場合について適用したが、状態変化部分としては、除湿水７３ａに限るものではなく、例えば、トナーカートリッジのトナー等の紛状物、粒状物のその収納容量の変化する収納物に適用することができる。
【０１４６】
このように、本実施例の画像形成装置７０は、ＲＦＩＤタグ７１が、機器筐体内に設けられ液体、粉体、粒状体等の収納物である除湿水７３ａを状態変化物として収納する収納容器である除湿水タンク７３の外面であって除湿水ａの収納量が所定収納量である要排水上限水位の位置を検出可能な位置（要メンテナンス位置）を検出位置として配設され、制御部７が、リーダライタ部７２のＲＦＩＤタグ７１との通信状態に基づいて除湿水タンク７３内の除湿水７３ａの収納量を判断している。
【０１４７】
したがって、収納物としての除湿水７３ａの収納量の検出におけるハーネスや信号線等の制約や破断等による設計の自由度及び信号の不通を解消することができ、安定かつ安全に状態変化を把握することができる。
【０１４８】
また、本実施例の画像形成装置７０は、ＲＦＩＤタグ７１がその外面に配設されている除湿水タンク７３に、ＲＦＩＤタグ７１とリーダライタ部７２との通信を阻害する性質を有している除湿水７３ａが収納されている。
【０１４９】
したがって、除湿水７３ａがＲＦＩＤタグ７１を覆う状態まで入っているか否かで、ＲＦＩＤタグ７１とリーダライタ部７２との通信が可能状態と不可能状態に変化し、除湿水７３ａが排水（メンテナンス）を必要とする要排水上限水位まで溜まったか否かを適切に判断することができる。
【０１５０】
さらに、本実施例の画像形成装置７０は、ＲＦＩＤタグ７１の位置する部分の除湿水７３ａ側以外の面に、ＲＦＩＤタグ７１とリーダライタ部７２との無線通信を遮蔽する電波遮蔽部材７４が取り付けられている。
【０１５１】
したがって、漏洩電波の影響を排除して、除湿水７３ａのみによるＲＦＩＤタグ７１とリーダライタ部７２との通信状態の変化を正確に検出して、除湿水７３ａの収納量を正確に判断することができる。
【０１５２】
なお、本実施例の画像形成装置７０は、ＲＦＩＤタグ７１が除湿水タンク７３の外面に取り付けられているが、ＲＦＩＤタグ７１を除湿水タンク７３の内面に取り付け、該ＲＦＩＤタグ７１の除湿水７３ａに浸る面以外の面、すなわち、除湿水タンク７３への取り付け面を、電波遮蔽部材で覆ってもよい。
【０１５３】
このようにすると、除湿水タンク７３内の除湿水７３ａによるＲＦＩＤタグ７１のリーダライタ部７２との通信状態変化を適切に検出することができる。
【実施例８】
【０１５４】
図１４は、本発明の電子機器の第８実施例を適用した画像形成装置８０の要部概略構成斜視図である。
【０１５５】
なお、本実施例は、上記第１実施例の画像形成装置１と同様の画像形成装置に適用したものであり、本実施例の説明においては、必要に応じて上記第１実施例で用いた符号をそのまま用いて説明する。
【０１５６】
図１４において、画像形成装置８０は、機器筐体８０ａの内部に複数（図１４では、３つ）の収納タンク（収納容器）８１〜８３が配設されており、収納タンク８１〜８３は、上述のように、定着オイルタンクや除湿水タンク等である。収納タンク８１〜８３は、内部に画像形成装置８０の稼動や除湿等に伴って液量の変化する液状物質８１ａ〜８３ａを貯留し、液状物質８１ａ〜８３ａは、上記定着オイルのように画像形成装置８０の稼動に伴って減っていくものであってもよいし、上記除湿水のように画像形成装置８０の稼動等（除湿）に伴って増えていくものであってもよい。
【０１５７】
各液状物質収納タンク８１〜８３は、その側壁の外面または内面に、ＲＦＩＤタグ（無線検出手段）８４〜８６が取り付けられており、各ＲＦＩＤタグ８４〜８６は、それぞれの取り付けられている収納タンク８１〜８３に収納される液状物質８１ａ〜８３ａの補充、交換、廃棄等のメンテナンス時期を検出する位置（要メンテナンス位置）に取り付けられている。これらのＲＦＩＤタグ８４〜８６は、液状物質８１ａ〜８３ａの上面以下に位置した際に、該ＲＦＩＤタグ８４〜８６の各面のうち、該液状物質８１ａ〜８３ａによって覆われない面が、図示しないが、ＲＦＩＤタグ８４〜８６からの電波が漏洩するのを防止する電波遮蔽部材（遮蔽手段）で覆う等の方法で、電波の漏洩を防止する処理が施されている。なお、ＲＦＩＤタグ８４〜８６を収納タンク８１〜８３の内壁面に取り付ける場合には、電波遮蔽部材を設けなくても、液状物質収納タンク８１〜８３のＲＦＩＤタグ８４〜８６を取り付け面自体を電波遮蔽部材で形成してもよい。
【０１５８】
そして、画像形成装置８０は、機器筐体８０ａ内の後部側の内面上部にリーダライタ部（無線通信手段）８７が取り付けられており、リーダライタ部８７と上記各ＲＦＩＤタグ８４〜８６と通信する。
【０１５９】
また、上記各ＲＦＩＤタグ８４〜８６は、少なくとも自身のタグを他のタグと区別する識別情報としてＩＤを記憶（保持）しており、リーダライタ部８７は、各ＲＦＩＤタグ８４〜８６と通信を行う際に、該ＲＦＩＤタグ８４〜８６のＩＤを取得する。
【０１６０】
さらに、収納タンク８１〜８３に収納される液状物質８１ａ〜８３ａは、ＲＦＩＤタグ８４〜８６とリーダライタ部８７との通信に用いられている電波を吸収してＲＦＩＤタグ８４〜８６とリーダライタ部８７との通信を阻害する性質を有している液状物質であり、収納タンク８１〜８３は、ＲＦＩＤタグ８４〜８６とリードライタ部８７との通信の電波を透過させる部材で形成されている。
【０１６１】
そして、本実施例の画像形成装置８０は、図示しないが、上記第１実施例の画像形成装置１と同様の給紙部２、作像部３定着／排紙部４、定着オイルタンク５、コントローラ部６、制御部７、操作部及びスキャナ部８等を備え、図１のＲＦＩＤタグ１０とリーダライタ部１１の代わりに、図１４に示すＲＦＩＤタグ８４〜８６とリーダライタ部８７が設けられている。
【０１６２】
次に、本実施例の作用を説明する。本実施例の画像形成装置８０は、複数のＲＦＩＤタグ８４〜８６と１つのリーダライタ部８７が通信して複数のＲＦＩＤタグ８４〜８６とリーダライタ部８７との通信状態に基づいて各ＲＦＩＤタグ８４〜８６の取り付けられている収納タンク８１〜８３に収納されている液状物質８１ａ〜８３ａが要メンテナンス量となっているか否かを判断する。
【０１６３】
すなわち、本実施例の画像形成装置８０は、リーダライタ部８７が、所定時間間隔毎に、順次、複数のＲＦＩＤタグ８４〜８６と通信を行って、該各ＲＦＩＤタグ８４〜８６との通信時に該ＲＦＩＤタグ８４〜８６からそのＲＦＩＤタグ８４〜８６のＩＤを取得し、該取得したＩＤをそのＲＦＩＤタグ８４〜８６との通信結果情報に付加して、制御部７に出力する。
【０１６４】
制御部７は、リーダライタ部８７から入力される各ＲＦＩＤタグ８４〜８６のＩＤの付加された各ＲＦＩＤタグ８４〜８６との通信結果情報に基づいて各収納タンク８１〜８３内の液状物質８１ａ〜８３ａがそれぞれの要メンテナンス量か否かを判別して、通知を行うか否か制御する。すなわち、制御部７は、リーダライタ部８７から入力される各ＲＦＩＤタグ８４〜８６のＩＤの付加された各ＲＦＩＤタグ８４〜８６との通信結果情報のうち、通信可能状態であることを示している通信結果情報があると、該通信可能なＲＦＩＤタグ８４〜８６の取り付けられている収納タンク８１〜８３の収納する液状物質８１ａ〜８３ａが要メンテナンス量とはなっていないと、または、要メンテナンス量となっていると判別し、また、該通信結果情報のうち、通信不可能状態であることを示している通信結果情報があると、該通信不可能なＲＦＩＤタグ８４〜８６の取り付けられている収納タンク８１〜８３の収納する液状物質８１ａ〜８３ａが要メンテナンス量になっていると、または、要メンテナンス量とはなっていないと判別する。
【０１６５】
なお、上記説明では、収納タンク８１〜８３に収納される収納物が液状物質８１ａ〜８３ａである場合について説明したが、状態変化部分としての収納物としては、液状物質８１ａ〜８３ａに限るものではなく、例えば、トナーカートリッジのトナー等の紛状物、粒状物のその収納容量の変化する収納物に適用することができる。
【０１６６】
このように、本実施例の画像形成装置８０は、機器筐体８０ａ内に複数の収納タンク８１〜８３を備え、ＲＦＩＤタグ８４〜８６が、該複数の収納タンク８１〜８３の内面または外面の所定の検出位置（要メンテナンス位置）に配設されているとともにそれぞれ自己を識別するＩＤ（識別情報）を保持し、リーダライタ部８７が、該機器筐体８０ａ内の所定位置に１つのみ設けられていて、該複数のＲＦＩＤタグ８４〜８６の全てと通信して該通信において少なくとも該各ＲＦＩＤタグ８４〜８６の保持するＩＤを取得し、制御部７が、リーダライタ部８７と各ＲＦＩＤタグ８４〜８６との通信状態及びＩＤに基づいて各収納タンク８１〜８３内の液状物質８１ａ〜８３ａの収納量を判断している。
【０１６７】
したがって、複数の収納タンク８１〜８３のそれぞれに取り付けられたＲＦＩＤタグ８４〜８６と１つのリーダライタ部８７との通信結果に基づいて、該各収納タンク８１〜８３の収納する液状物質８１ａ〜８３ａの容量が要メンテナンス量になったか否かを判断することができ、制御部７とリーダライタ部８７との接続ポートが、ＲＦＩＤタグ８４〜８６の数にかかわらず、１つのみですみ、小型化することができるとともに、ハーネスや信号線等の制約や破断等による設計の自由度及び信号の不通を解消しつつ、安定かつ安全に状態変化を把握することができる。
【０１６８】
なお、本実施例においては、複数のＲＦＩＤタグ８４〜８６に対して、１つのリーダライタ部８７を設けているが、複数のＲＦＩＤタグを複数のグループに分割して各グループに対して１つのリーダライタ部を設けてもよい。
【０１６９】
このようにすると、より多くのＲＦＩＤタグに対して少ないリーダライタ部で正確に通信して、小型でより正確な状態検出を行うことができる。
【０１７０】
また、ＲＦＩＤタグ８４〜８６は、液状物質８１ａ〜８３ａの上面以下に位置した際に、該ＲＦＩＤタグ８４〜８６の各面のうち、該液状物質８１ａ〜８３ａによって覆われない面を、電波遮蔽部材（遮蔽手段）で覆う等の方法で、電波の漏洩を防止する処理を施してもよい。このようにすると、検出精度を向上させることができる。
【実施例９】
【０１７１】
図１５は、本発明の電子機器の第９実施例を適用した画像形成装置９０の要部概略構成斜視図である。
【０１７２】
なお、本実施例は、上記第１実施例の画像形成装置１と同様の画像形成装置に適用したものであり、本実施例の説明においては、必要に応じて上記第１実施例で用いた符号をそのまま用いて説明する。
【０１７３】
図１５において、画像形成装置９０は、機器筐体９０ａの内部に複数（図１５では、２つ）の収納タンク９１、９２が配設されており、収納タンク９１、９２は、上述のように、定着オイルタンクや除湿水タンク等である。収納タンク９１、９２は、内部に画像形成装置９０の稼動等に伴って液量の変化する液状物質（状態変化部分、収納物）９１ａ、９２ａを貯留し、液状物質９１ａ、９２ａは、上記定着オイルのように画像形成装置９０の稼動に伴って減っていくものであってもよいし、上記除湿水のように画像形成装置９０の稼動等（除湿処理）に伴って増えていくものであってもよい。
【０１７４】
各液状物質収納タンク９１、９２は、その側壁の外面または内面に、ＲＦＩＤタグ（無線検出手段）９３、９４が取り付けられており、各ＲＦＩＤタグ９３、９４は、それぞれの取り付けられている収納タンク９１、９２に収納される液状物質９１ａ、９２ａの補充、交換、廃棄等のメンテナンス時期を検出する位置（要メンテナンス位置）に取り付けられている。これらのＲＦＩＤタグ９３、９４は、液状物質９１ａ、９２ａの上面以下に位置した際に、該ＲＦＩＤタグ９３、９４の各面のうち、該液状物質９１ａ、９２ａによって覆われない面が、図示しないが、ＲＦＩＤタグ９３、９４からの電波が漏洩するのを防止する電波遮蔽部材（遮蔽手段）で覆う等の方法で、電波の漏洩を防止する処理が施されている。なお、ＲＦＩＤタグ９３、９４を収納タンク９１、９２の内壁面に取り付ける場合には、電波遮蔽部材を設けなくても、収納タンク９１、９２のＲＦＩＤタグ９３、９４の取り付けられている面自体を電波遮蔽部材で形成してもよい。
【０１７５】
また、画像形成装置９０は、機器筐体９０ａの前面に、該機器筐体５０ａの下端部においてその下端部が回動可能に支持されて、外方向にその上端側が開閉可能な前ドア（状態変化部分、開閉扉）９５が取り付けられており、前ドア９５の内面の上部左側には、ＲＦＩＤタグ（無線検出手段）９６が取り付けられている。
【０１７６】
さらに、画像形成装置９０は、機器筐体９０ａの右側面の上部に、その下端部が機器筐体９０ａに回動可能に支持されて、その上端側が外方向に開閉可能な上横ドア（状態変化部分、開閉扉）９７が取り付けられており、上横ドア９７の機器筐体９０ａの内面の上部には、ＲＦＩＤタグ（無線検出手段）９８が取り付けられている。
【０１７７】
そして、画像形成装置９０は、機器筐体９０ａ内の後部側の内面上部にリーダライタ部（無線通信手段）９９が取り付けられており、リーダライタ部９９と上記各ＲＦＩＤタグ９３、９４及び９６、９８と通信する。
【０１７８】
また、収納タンク９１、９２に収納される液状物質９１ａ、９２ａは、ＲＦＩＤタグ９３、９４とリーダライタ部９９との通信に用いられている電波を吸収してＲＦＩＤタグ９３、９４とリーダライタ部９９との通信を阻害する性質を有している液状物質であり、収納タンク９１、９２は、ＲＦＩＤタグ９３、９４とリードライタ部９９との通信の電波を透過させる部材で形成されている。
【０１７９】
また、上記各ＲＦＩＤタグ９３、９４、９６、９８は、少なくとも自身のタグを他のタグと区別する識別情報としてＩＤを記憶しており、リーダライタ部９９は、各ＲＦＩＤタグ９３、９４、９６、９８と通信を行う際に、該ＲＦＩＤタグ９３、９４、９６、９８のＩＤを取得する。
【０１８０】
さらに、前ドア９５に取り付けられているＲＦＩＤタグ９６及び横ドア９７に取り付けられているＲＦＩＤタグ９８とリーダライタ部９９との間の通信は、該ＲＦＩＤタグ９６及びＲＦＩＤタグ９７とリーダライタ部９９との距離（通信距離）または／及び通信方向によってその通信状態が変化する。
【０１８１】
そして、本実施例の画像形成装置９０は、図示しないが、上記第１実施例の画像形成装置１と同様の給紙部２、作像部３定着／排紙部４、定着オイルタンク５、コントローラ部６、制御部７、操作部及びスキャナ部８等を備え、図１のＲＦＩＤタグ１０とリーダライタ部１１の代わりに、図１５に示すＲＦＩＤタグ９３、９４、９６、９８とリーダライタ部９９が設けられている。
【０１８２】
次に、本実施例の作用を説明する。本実施例の画像形成装置９０は、複数のＲＦＩＤタグ９３、９４、９６、９８と１つのリーダライタ部９９が通信して複数のＲＦＩＤタグ９３、９４、９６、９８とリーダライタ部９９との通信状態に基づいて、各ＲＦＩＤタグ９３、９４の取り付けられている収納タンク９１、９２に収納されている液状物質９１ａ、９２ａが要メンテナンス量となっているか否か及びＲＦＩＤタグ９６、９８の取り付けられている前ドア９５、横ドア９７の開閉状態を判断する。
【０１８３】
すなわち、本実施例の画像形成装置９０は、リーダライタ部９９が、所定時間間隔毎に、順次、複数のＲＦＩＤタグ９３、９４、９６、９８と通信を行って、該各ＲＦＩＤタグ９３、９４、９６、９８との通信時に該ＲＦＩＤタグ９３、９４、９６、９８からそのＲＦＩＤタグ９３、９４、９６、９８のＩＤを取得し、該取得したＩＤをそのＲＦＩＤタグ９３、９４、９６、９８との通信結果情報に付加して、制御部７に出力する。
【０１８４】
制御部７は、リーダライタ部９９から入力される各ＲＦＩＤタグ９３、９４、９６、９８のＩＤの付加された各ＲＦＩＤタグ９３、９４、９６、９８との通信結果情報に基づいて各収納タンク９１、９２内の液状物質９１ａ、９２ａがそれぞれの要メンテナンス量か否かを判別し、また、各ＲＦＩＤタグ９６、９８の取り付けられている前ドア９５、横ドア９７の開閉状態を判別して、通知するか否かを制御する。すなわち、制御部７は、リーダライタ部９９から入力される各ＲＦＩＤタグ９３、９４、９６、９８のＩＤの付加された各ＲＦＩＤタグ９３、９４、９６、９８との通信結果情報のうち、通信可能状態であることを示している通信結果情報があると、該通信可能なＲＦＩＤタグ９３、９４の取り付けられている収納タンク９１、９２の収納する液状物質９１ａ、９２ａが、例えば、要メンテナンス量となっていないと判別し、また、該通信可能なＲＦＩＤタグ９６、９８の取り付けられている前ドア９５、横ドア９７が閉じられていると判別する。さらに、制御部７は、該通信結果情報のうち、通信不可能状態であることを示している通信結果情報があると、該通信不可能なＲＦＩＤタグ９３、９４の取り付けられている収納タンク９１、９２の収納する液状物質９１ａ、９２ａが、例えば、要メンテナンス量になっていると判別し、また、該通信不可能なＲＦＩＤタグ９６、９８の取り付けられている前ドア９５、横ドア９７が開けられていると判別する。
【０１８５】
なお、上記説明では、状態変化部分である開閉扉として、前ドア９５と横ドア９７を例に挙げて説明しているが、開閉扉としては、これらに限るものではなく、また、収納タンク８１〜８３に収納される状態変化部分としての収納物が液状物質８１ａ〜８３ａである場合について説明したが、状態変化部分としての収納物としては、液状物質８１ａ〜８３ａに限るものではなく、例えば、トナーカートリッジのトナー等の紛状物、粒状物のその収納容量の変化する収納物に適用することができる。
【０１８６】
このように、本実施例の画像形成装置９０は、機器筐体９０ａに設けられた状態変化部分としての複数の前ドア９５と横ドア９７及び機器筐体９０ａ内に配設された状態変化部分としての液体、粉体、粒状体等の液状物質９１ａ、９２ａをそれぞれ収納する複数の収納タンク９１、９２を備え、ＲＦＩＤタグ９３、９４、９６、９８が、該前ドア９５と横ドア９７の機器筐体９０ａ内側の面の所定位置に取り付けられているとともに、収納タンク９１、９２の内面または外面であって液状物質９１ａ、９２ａの収納量が所定収納量となったことを検出可能な位置（要メンテナンス位置）に配設されており、かつ、それぞれ自己を識別するＩＤ（識別情報）を保持し、リーダライタ部９９が、機器筐体９０ａ内の所定位置に１つのみ設けられていて、複数のＲＦＩＤタグ９３、９４、９６、９８の全てと通信して該通信において少なくとも各ＲＦＩＤタグ９３、９４、９６、９８の保持するＩＤを取得し、制御部７が、リーダライタ部９９と各ＲＦＩＤタグ９３、９４、９６、９８との通信状態及びＩＤに基づいて前ドア９５、横ドア９７の開閉状態及び各収納タンク９１、９２内の液状物質９１ａ、９２ａの収納量を判断している。
【０１８７】
したがって、複数のドア９５、９７及び収納タンク９１、９２のそれぞれに取り付けられたＲＦＩＤタグ９３、９４、９６、９８と１つのリーダライタ部９９との通信結果に基づいて、各ドア９５、９７の開閉状態及び各収納タンク９１、９２の収納する液状物質９１ａ、９２ａの容量が要メンテナンス量になったか否かを判断することができ、制御部７とリーダライタ部９９との接続ポートが、ＲＦＩＤタグ９３、９４、９６、９８の数にかかわらず、１つのみですみ、小型化することができるとともに、ハーネスや信号線等の制約や破断等による設計の自由度及び信号の不通を解消しつつ、安定かつ安全に状態変化を把握することができる。
【０１８８】
なお、本実施例においては、複数のＲＦＩＤタグ９３、９４、９６、９８に対して、１つのリーダライタ部９９を設けているが、複数のＲＦＩＤタグを複数のグループに分割して各グループに対して１つのリーダライタ部を設けてもよい。
【０１８９】
このようにすると、より多くのＲＦＩＤタグに対して少ないリーダライタ部で正確に通信して、小型でより正確な状態検出を行うことができる。
【０１９０】
以上、本発明者によってなされた発明を好適な実施例に基づき具体的に説明したが、本発明は上記のものに限定されるものではなく、その要旨を逸脱しない範囲で種々変更可能であることはいうまでもない。
【０１９１】
例えば、上記各実施例においては、電子機器としては、画像形成装置に適用した場合について説明したが、画像形成装置に限るものではなく、状態変化部分を有する電子機器一般、例えば、パーソナルコンピュータ、スキャナ装置、携帯電話装置等の電子機器に適用することができる。
【産業上の利用可能性】
【０１９２】
本発明は、状態変化を行う状態変化部分を有する画像形成装置、スキャナ装置等の電子機器に適用することができる。
【図面の簡単な説明】
【０１９３】
【図１】本発明の第１実施例を適用した画像形成装置のブロック構成図。
【図２】図１の画像形成装置の要部概略構成斜視図。
【図３】図２の画像形成装置のＲＦＩＤタグとリーダライタ部との通信距離の変化の説明図。
【０１９４】
【図４】発明の第２実施例を適用した画像形成装置に用いられているＲＦＩＤタグとリーダライタ部の通信可能時の位置関係を示す図。
【図５】図４のＲＦＩＤタグとリーダライタ部の通信不可能時の位置関係を示す図。
【図６】第２実施例の画像形成装置の変形例を示す側面図。
【図７】本発明の第３実施例を適用した画像形成装置の正面要部概略構成図。
【図８】本発明の第４実施例を適用した画像形成装置の正面要部概略構成図。
【図９】本発明の第５実施例を適用した画像形成装置の要部概略構成斜視図。
【図１０】本発明の電子機器の第６実施例を適用した画像形成装置に用いられている定着オイル検知用のＲＦＩＤタグとリーダライタ部の通信不可能時の状態を示す図。
【図１１】図１０の定着オイル検知用のＲＦＩＤタグとリーダライタ部の通信可能時の状態を示す図。
【図１２】本発明の電子機器の第７実施例を適用した画像形成装置に用いられている除湿水検知用のＲＦＩＤタグとリーダライタ部の通信可能時の状態を示す図。
【図１３】図１２の除湿水検知用のＲＦＩＤタグとリーダライタ部の通信不可能時の状態を示す図。
【図１４】本発明の第８実施例を適用した画像形成装置の要部概略構成斜視図。
【図１５】本発明の第９実施例を適用した画像形成装置の要部概略構成斜視図。
【符号の説明】
【０１９５】
１  画像形成装置（電子機器）
２  給紙部
３  作像部
４  定着／排紙部
５  定着オイルタンク
５ａ  定着オイル
６  コントロ−ラ部
７  制御部
８  スキャナ部
９  操作部
１０  ＲＦＩＤタグ（無線検出手段）
１１  リーダライタ部（無線通信手段）
１２  前ドア
２０  ＲＦＩＤタグ  ２１  リーダライタ部
３０  画像形成装置
３０ａ  機器筐体
３１  横ドア
３２  ＲＦＩＤタグ
３３  リーダライタ部
３４  電波遮蔽部材
４０  画像形成装置
４０ａ  機器筐体
４１  コンタクトガラス
４２  原稿押さえ部
４３  ＲＦＩＤタグ
４４  リーダライタ部
５０  画像形成装置
５０ａ  機器筐体
５１  前ドア
５２  ＲＦＩＤタグ
５３  上横ドア
５４  ＲＦＩＤタグ
５５  下横ドア
５６  ＲＦＩＤタグ
５７  リーダライタ部
６０  画像形成装置
６１  ＲＦＩＤタグ
６２  リーダライタ部
６３  電波遮蔽部材
７０  画像形成装置
７１  ＲＦＩＤタグ
７２  リーダライタ部
７３  除湿水タンク
７３ａ  除湿水
７４  電波遮蔽部材
８０  画像形成装置
８０ａ  機器筐体
８１〜８３  収納タンク
８１ａ〜８３ａ  液状物質
８４〜８６  ＲＦＩＤタグ
８７  リーダライタ部
９０  画像形成装置
９０ａ  機器筐体
９１、９２  収納タンク
９１ａ、９２ａ  液状物質
９３、９４  ＲＦＩＤタグ
９５  前ドア
９６  ＲＦＩＤタグ
９７  上横ドア
９８  ＲＦＩＤタグ
９９  リーダライタ部
【図１】
2008250609.tif 000003
【図２】
2008250609.tif 000004
【図３】
2008250609.tif 000005
【図４】
2008250609.tif 000006
【図５】
2008250609.tif 000007
【図６】
2008250609.tif 000008
【図７】
2008250609.tif 000009
【図８】
2008250609.tif 000010
【図９】
2008250609.tif 000011
【図１０】
2008250609.tif 000012
【図１１】
2008250609.tif 000013
【図１２】
2008250609.tif 000014
【図１３】
2008250609.tif 000015
【図１４】
2008250609.tif 000016
【図１５】
2008250609.tif 000017